(57)【要約】【課題】  車室のポケットに対し物の出し入れ操作をするとき、この出し入れ操作が容易にできるようにし、また、ポケットの実質的な容量を、より大きくさせる。【解決手段】  自動車が、車室内壁６から車室２側に向かい突出してその上面が乗員用のアーム載置面９とされるアームレスト１０と、このアームレスト１０の下方域に配置され、物１１の出し入れ口１２が上方に向かって開口するポケット１３とを備える。出し入れ口１２の上方に位置するアームレスト１０の前、後縁部の少なくともいずれか一方の縁部に、上下方向に貫通する切り欠き２７を形成する。この切り欠き２７を自動車の幅方向Ｗにおけるアームレスト１０の車室２側の端部２８よりも車室内壁６側の部位に形成する。【選択図】    図１
2005081875.tif 000002
【特許請求の範囲】
【請求項１】
車室内壁から車室側に向かい突出してその上面が乗員用のアーム載置面とされるアームレストと、このアームレストの下方域に配置され、物の出し入れ口が上方に向かって開口するポケットとを備えた自動車において、
上記出し入れ口の上方に位置する上記アームレストの前、後縁部の少なくともいずれか一方の縁部に、上下方向に貫通する切り欠きを形成し、かつ、この切り欠きを自動車の幅方向における上記アームレストの車室側の端部よりも上記車室内壁側の部位に形成したことを特徴とする自動車における車室構造。
【請求項２】
上記アームレストの上記縁部における上記車室内壁側の端部に上記切り欠きを形成したことを特徴とする請求項１に記載の自動車における車室構造。
【請求項３】
自動車の前後方向における上記切り欠きの底面のうちの少なくとも下部を、斜め下方に対面するよう傾斜する傾斜面としたことを特徴とする請求項１、もしくは２に記載の自動車における車室構造。
【発明の詳細な説明】
【技術分野】
【０００１】
本発明は、車室内壁から突出するアームレストと、このアームレストの下方域に配置されるポケットとを備えた自動車における車室構造に関するものである。
【背景技術】
【０００２】
上記自動車における車室構造には、従来、下記特許文献１に示されたものがある。この公報のものによれば、自動車は、車室内壁を構成するドアトリムから車室側に一体的に突出してその上面が乗員のアーム用載置面とされるアームレストと、このアームレストの前部の下方域に配置されるドアポケットとを備え、このポケットの物の出し入れ口は上方に向かって開口し、この出し入れ口を通して上記ポケットに対し物の出し入れ操作が可能とされている。
【０００３】
【特許文献１】特開平７−２８５３３９号公報
【発明の開示】
【発明が解決しようとする課題】
【０００４】
ところで、上記出し入れ口を通して上記ポケットに対し物を出し入れ操作するとき、上記出し入れ口の上方にはアームレストが位置しているため、上記物が、例えば本形状の地図であって、形状が大きく曲げにくいものである場合には、上記出し入れ操作の際に、上記アームレストが邪魔になって、この出し入れ操作が煩雑になるおそれがある。また、上記アームレストの存在により、上記ポケットの実質的な容量が狭められるおそれもある。
【０００５】
更に、上記ポケットに収容される物の上部がこのポケットの出し入れ口から上方に突出する場合には、上記物の自重や走行時に生じる慣性力により、この物の上部が車室の内側に向かって倒れ込むことが考えられ、この場合には、上記物の上部が車室を無用に狭めることとなって好ましくない。
【課題を解決するための手段】
【０００６】
本発明は、上記のような事情に注目してなされたもので、本発明の目的は、車室のポケットに対し物の出し入れ操作をするとき、この出し入れ操作が容易にできるようにし、また、上記ポケットの実質的な容量を、より大きくさせることである。
【０００７】
また、本発明の他の目的は、上記ポケットに収容される物の上部がこのポケットの出し入れ口から上方に突出する場合に、上記物の上部が車室を無用には狭めないようにすることである。
【０００８】
請求項１の発明は、車室内壁６から車室２側に向かい突出してその上面が乗員用のアーム載置面９とされるアームレスト１０と、このアームレスト１０の下方域に配置され、物１１の出し入れ口１２が上方に向かって開口するポケット１３とを備えた自動車において、
上記出し入れ口１２の上方に位置する上記アームレスト１０の前、後縁部の少なくともいずれか一方の縁部に、上下方向に貫通する切り欠き２７を形成し、かつ、この切り欠き２７を自動車の幅方向Ｗにおける上記アームレスト１０の車室２側の端部２８よりも上記車室内壁６側の部位に形成したものである。
【０００９】
請求項２の発明は、請求項１の発明に加えて、上記アームレスト１０の上記縁部における上記車室内壁６側の端部に上記切り欠き２７を形成したものである。
【００１０】
請求項３の発明は、請求項１、もしくは２の発明に加えて、自動車の前後方向における上記切り欠き２７の底面２９のうちの少なくとも下部を、斜め下方に対面するよう傾斜する傾斜面３１としたものである。
【００１１】
なお、この項において、上記各用語に付記した符号は、本発明の技術的範囲を後述の「実施例」の項の内容に限定解釈するものではない。
【発明の効果】
【００１２】
本発明による効果は、次の如くである。
【００１３】
請求項１の発明は、車室内壁から車室側に向かい突出してその上面が乗員用のアーム載置面とされるアームレストと、このアームレストの下方域に配置され、物の出し入れ口が上方に向かって開口するポケットとを備えた自動車において、
上記出し入れ口の上方に位置する上記アームレストの前、後縁部の少なくともいずれか一方の縁部に、上下方向に貫通する切り欠きを形成してある。
【００１４】
ここで、上記出し入れ口を通して上記ポケットに対し本形状の地図などの大きく曲げにくい物を出し入れ操作するとき、上記出し入れ口の上方にはアームレストが位置していて、このアームレストが上記出し入れ操作の邪魔になるおそれがある。しかし、上記したように、アームレストには切り欠きが形成されているため、上記ポケットに対し物を出し入れ操作するとき、上記切り欠きを利用すれば、上記アームレストが邪魔になることなく、上記出し入れ操作が容易にできることとなる。
【００１５】
また、上記出し入れ口の上方の空間は、上記切り欠きを設けたことによって、より広く開放されるのであり、その分、上記ポケットの実質的な容量が、より大きくなる。
【００１６】
また、上記ポケットに収容された物が大きくて、この物の上部がポケットの出し入れ口から上方に突出する場合、上記物の上部の少なくとも一部を上記切り欠きに嵌入してやれば、上記物の上部が車室の内側に向かって倒れ込もうとしても、これは上記アームレストの端部側により防止される。よって、上記ポケットに収容した物の上部によって車室が無用に狭められるということは防止される。
【００１７】
しかも、自動車の幅方向における上記アームレストの車室側の端部よりも上記車室内壁側の部位に上記切り欠きを形成しており、このため、上記アームレストを車室側からみたとき、上記切り欠きが容易に見えるということが抑制される。よって、上記アームレストを車室側からみたときの見栄えが良好なままに保たれる。
【００１８】
請求項２の発明は、上記アームレストの上記縁部における上記車室内壁側の端部に上記切り欠きを形成してある。
【００１９】
このため、第１に、自動車の幅方向で上記切り欠きと対応する車室内壁の部分にはアームレストは存在しないことから、上記車室内壁の部分は平坦なままに保たれる。よって、上記切り欠きを利用して上記ポケットに対し物を入れる操作をしようとするときには、上記車室内壁に対し上記物の挿入側先端部を摺動させてやれば、この物を上記切り欠きに嵌入させることが容易にでき、この結果、前記したように切り欠きを利用して上記ポケットに対し物を入れるときの操作が、より容易にできる。
【００２０】
また、第２に、仮に、自動車の幅方向における上記アームレストの縁部の中途部に上記切り欠きを形成したとすると、上記アームレストの端部のアーム載置面が自動車の幅方向で分断されることとなるが、これに比べ、上記発明によれば、アームレストにおける車室側の端部の上面には、自動車の幅方向でみて、一体的な広い面積のアーム載置面が確保される。よって、上記のようにアームレストの縁部に切り欠きを形成した場合でも、アームレストとしての機能が良好なままに保たれる。
【００２１】
請求項３の発明は、自動車の前後方向における上記切り欠きの底面のうちの少なくとも下部を、斜め下方に対面するよう傾斜する傾斜面としてある。
【００２２】
このため、上記傾斜面の形成により、この傾斜面の下方に空間が生じることによって、上記出し入れ口の上方の空間が、より広く開放されるのであり、その分、上記ポケットの実質的な容量が、より大きくなる。
【００２３】
また、上記アームレストの前方の空間域と、上記ポケットの内部空間とを利用してこのポケットに物を収容させようとするとき、上記物を傾斜させて、上記物の上縁部を上記傾斜面に近接させれば、この傾斜面を設けたことに応じて、より大きい形状の物の収容が可能となり、つまり、上記ポケットの実質的な容量が、更に大きくなる。
【発明を実施するための最良の形態】
【００２４】
本発明の自動車における車室構造に関し、車室のポケットに対し物の出し入れ操作をするとき、このポケットの上方に位置するアームレストが邪魔になるということを防止して、上記ポケットに対する物の出し入れ操作が容易にできるようにし、また、上記ポケットの実質的な容量を、より大きくさせる、という目的を実現するため、本発明を実施するための最良の形態は、次の如くである。
【００２５】
即ち、ドア１は、車室内壁から車室側に向かい突出してその上面が乗員用のアーム載置面とされるアームレストと、このアームレストの下方域に配置され、物の出し入れ口が上方に向かって開口するポケットとを備えている。上記出し入れ口の上方に位置する上記アームレストの前、後縁部の少なくともいずれか一方の縁部に、上下方向に貫通する切り欠きが形成され、かつ、この切り欠きは自動車の幅方向における上記アームレストの車室側の端部よりも上記車室内壁側の部位に形成されている。
【実施例】
【００２６】
本発明をより詳細に説明するために、その実施例を添付の図に従って説明する。
【００２７】
図において、符号１は自動車用サイドドアで、図中矢印Ｆｒは、この自動車の前方を示している。
【００２８】
上記ドア１は、車体の側壁に形成されてこの車体内部の車室２を車体外部に連通させるドア開口を開閉可能とするものである。
【００２９】
上記ドア１は、板金製のアウタ、インナパネルを備えるドア本体３と、このドア本体３の上記車室２側の面に固着具４により固着される樹脂製のドアトリム５とを備え、このドアトリム５は車室内壁６の一部分を構成している。上記車室内壁６から車室２側に向かい突出してその上面が乗員用のアーム載置面９とされるアームレスト１０と、このアームレスト１０の下方域に配置され、物１１の出し入れ口１２が上方に向かって開口するドアポケット１３とが備えられている。
【００３０】
上記アームレスト１０は、このアームレスト１０の上記車室内壁６側の端部を構成して、この車室内壁６に一体成形される基部１６と、この基部１６に上記固着具４により固着されて、自動車の幅方向Ｗで、上記アームレスト１０の車室２側の端部を構成する樹脂製の端部部材１７と、自動車の幅方向Ｗにおける上記端部部材１７の車室２側の端面をほぼ全体的に覆うようこの端部部材１７に係止具１８により着脱可能に固着されるアームレストトリム１９とを備えている。
【００３１】
上記アームレスト１０の下方域における上記ドアトリム５の一部分である下部が、自動車の幅方向Ｗで車室２側に向かって全体的に膨出させられ、この膨出部２１の内面に固着具２２により内側板２３が固着され、これら膨出部２１と内側板２３とで囲まれた空間の上方における上記膨出部２１の上端部に上記出し入れ口１２が形成され、この出し入れ口１２を有する膨出部２１、固着具２２、および内側板２３により上記ポケット１３が構成されている。
【００３２】
また、上記ポケット１３の前方に隣接して上記ドア本体３の内部空間にスピーカ２４が設けられ、自動車の幅方向Ｗで、このスピーカ２４に対向して上記車室内壁６にスピーカグリル２５が形成されている。
【００３３】
上記出し入れ口１２の後部上方に位置する上記アームレスト１０の前縁部に、上下方向に貫通する切り欠き２７が形成されている。この切り欠き２７は、自動車の幅方向Ｗにおける上記アームレスト１０の車室２側の端部２８よりも上記車室内壁６側の部位に形成されている。更に、上記アームレスト１０の前縁部における上記車室内壁６側の端部に上記切り欠き２７が形成されている。より具体的には、上記アームレスト１０の前縁部を構成する上記端部部材１７とアームレストトリム１９の各前縁部と、上記車室内壁６との間に上記切り欠き２７が形成されている。
【００３４】
また、上記基部１６の前面である自動車の前後方向における上記切り欠き２７の底面２９（基部１６の前面）のうちの下部が、斜め下方（前下方）に対面するよう後下がり状に傾斜する傾斜面３１とされている。この傾斜面３１は、自動車の側面視で、全体として前下方に向かって凸形状をなす上、下二段の円弧形状とされている。
【００３５】
なお、上記傾斜面３１は上記底面２９のほぼ全体にわたるものでもよい。また、上記切り欠き２７は、上記アームレスト１０の後縁部に形成してもよく、この場合に形成される傾斜面３１は、斜め下方（後下方）に対面するよう前下がり状に傾斜させられる。
【００３６】
上記構成によれば、出し入れ口１２の上方に位置する上記アームレスト１０の前、後縁部の少なくともいずれか一方の縁部に、上下方向に貫通する切り欠き２７を形成してある。
【００３７】
ここで、上記出し入れ口１２を通して上記ポケット１３に対し本形状の地図などの大きく曲げにくい物１１を出し入れ操作するとき、上記出し入れ口１２の上方にはアームレスト１０が位置していて、このアームレスト１０が上記出し入れ操作の邪魔になるおそれがある。しかし、上記したように、アームレスト１０には切り欠き２７が形成されているため、上記ポケット１３に対し物１１を出し入れ操作するとき、上記切り欠き２７を利用すれば、上記アームレスト１０が邪魔になることなく、上記出し入れ操作が容易にできることとなる。
【００３８】
また、上記出し入れ口１２の上方の空間は、上記切り欠き２７を設けたことによって、より広く開放されるのであり、その分、上記ポケット１３の実質的な容量が、より大きくなる。
【００３９】
また、上記ポケット１３に収容された物１１が大きくて、この物１１の上部がポケット１３の出し入れ口１２から上方に突出する場合、上記物１１の上部の少なくとも一部を上記切り欠き２７に嵌入してやれば（図１，２中二点鎖線）、上記物１１の上部が車室２の内側に向かって倒れ込もうとしても、これは上記アームレスト１０の端部２８側により防止される。よって、上記ポケット１３に収容した物１１の上部によって車室２が無用に狭められるということは防止される。
【００４０】
更に、上記車室内壁６はドア１を構成するドアトリム５であるため、上記アームレスト１０の上記縁部における端部２８は、上記ドア１を開閉操作するときの把持部として利用でき、ドア１に対し別途に把持部を設けないで足りる分、ドア１の構成を簡単にでき、つまり、車室２構造を簡単にできる。
【００４１】
しかも、自動車の幅方向Ｗにおける上記アームレスト１０の車室２側の端部２８よりも上記車室内壁６側の部位に上記切り欠き２７を形成しており、このため、上記アームレスト１０を車室２側からみたとき、上記切り欠き２７が容易に見えるということが抑制される。よって、上記アームレスト１０を車室２側からみたときの見栄えが良好なままに保たれる。
【００４２】
また、前記したように、アームレスト１０の上記縁部における上記車室内壁６側の端部に上記切り欠き２７を形成してある。
【００４３】
このため、第１に、自動車の幅方向Ｗで上記切り欠き２７と対応する車室内壁６の部分にはアームレスト１０は存在しないことから、上記車室内壁６の部分は平坦なままに保たれる。よって、上記切り欠き２７を利用して上記ポケット１３に対し物１１を入れる操作をしようとするときには、上記車室内壁６に対し上記物１１の挿入側先端部を摺動させてやれば、この物１１を上記切り欠き２７に嵌入させることが容易にでき、この結果、前記したように切り欠き２７を利用して上記ポケット１３に対し物１１を入れるときの操作が、より容易にできる。
【００４４】
また、第２に、仮に、自動車の幅方向Ｗにおける上記アームレスト１０の縁部の中途部に上記切り欠き２７を形成したとすると、上記アームレスト１０の端部２８のアーム載置面９が自動車の幅方向Ｗで分断されることとなるが、これに比べ、上記構成によれば、アームレスト１０における車室２側の端部２８の上面には、自動車の幅方向Ｗでみて、一体的な広い面積のアーム載置面９が確保される。よって、上記のようにアームレスト１０の縁部に切り欠き２７を形成した場合でも、アームレスト１０としての機能が良好なままに保たれる。
【００４５】
また、前記したように、自動車の前後方向における上記切り欠き２７の底面２９のうちの少なくとも下部を、斜め下方に対面するよう傾斜する傾斜面３１としてある。
【００４６】
このため、上記傾斜面３１の形成により、この傾斜面３１の下方に空間が生じることによって、上記出し入れ口１２の上方の空間が、より広く開放されるのであり、その分、上記ポケット１３の実質的な容量が、より大きくなる。
【００４７】
また、上記構成によれば、アームレスト１０の前方の空間域と、上記ポケット１３の内部空間とを利用してこのポケット１３に物１１を収容させようとするとき、図１，２中二点鎖線で示すように、上記物１１を傾斜させて、上記物１１の上縁部を上記傾斜面３１に近接させれば、この傾斜面３１を設けたことに応じて、より大きい形状の物１１の収容が可能となり、つまり、上記ポケット１３の実質的な容量が、更に大きくなる。
【００４８】
また、上記アームレスト１０の基部１６の前面上部には、ウィンドレギュレータの昇降駆動用スイッチ３３が配置され、このスイッチ３３は、上記切り欠き２７の内部空間を利用して操作可能とされている。また、上記スイッチ３３に代え、もしくは、これと共に灰皿を設けてもよい。
【００４９】
なお、以上は図示の例によるが、自動車の幅方向Ｗにおける上記アームレスト１０の縁部の中途部に上記切り欠き２７を形成してもよい。また、上記傾斜面３１は、単一の円弧形状にしてもよく、ほぼ直線的に延びるものであってもよい。また、前後方向における切り欠き２７の底面（基部１６の前面、もしくは後面）はほぼ全体的に鉛直方向に直線的に延びるものであってもよい。
【図面の簡単な説明】
【００５０】
【図１】ドアを車室側からみた斜視図である。
【図２】ドアを車室側からみた側面図である。
【図３】図２の３‐３線矢視断面図である。
【図４】図２の４‐４線矢視断面図である。
【符号の説明】
【００５１】
１    ドア
２    車室
５    ドアトリム
６    車室内壁
９    アーム載置面
１０  アームレスト
１１  物
１２  出し入れ口
１３  ポケット
１６  基部
１７  端部部材
１８  係止具
１９  アームレストトリム
２７  切り欠き
２８  端部
２９  底面
３０  下面
３１  傾斜面
Ｗ    幅方向
【図１】
2005081875.tif 000003
【図２】
2005081875.tif 000004
【図３】
2005081875.tif 000005
【図４】
2005081875.tif 000006